(57)【要約】  本技術は、レンズバレルを小型化することができるようにする撮像装置、電子機器に関する。撮像素子が搭載される基板と、レンズを固定するフレームと、レンズとを備え、基板、フレーム、レンズで、撮像素子を封止している。さらに複数のレンズを備え、フレームに固定されているレンズは、複数のレンズのうちの撮像素子に最も近い位置に位置するレンズである。さらにレンズを保持するレンズバレルを備え、複数のレンズのうち、撮像素子に近い側に位置するレンズ以外のレンズは、レンズバレルに保持される。本技術は、撮像装置に適用できる。
2015198909.tif 000002
【特許請求の範囲】
【請求項１】
撮像素子が搭載される基板と、
レンズを固定するフレームと、
前記レンズと
を備え、
前記基板、前記フレーム、前記レンズで、前記撮像素子を封止している
撮像装置。
【請求項２】
複数のレンズを備え、前記フレームに固定されているレンズは、前記複数のレンズのうちの前記撮像素子に最も近い位置に位置するレンズである
請求項１に記載の撮像装置。
【請求項３】
複数のレンズと、
レンズを保持するレンズバレルをさらに備え、
前記複数のレンズのうち、前記撮像素子に近い側に位置するレンズ以外のレンズは、前記レンズバレルに保持される
請求項１に記載の撮像装置。
【請求項４】
前記レンズバレルの径は、前記フレームに固定されているレンズの径よりも小さい
請求項３に記載の撮像装置。
【請求項５】
前記撮像素子上に、ＩＲＣＦ（Infra Red Cut Filter）をさらに備える
請求項１に記載の撮像装置。
【請求項６】
前記レンズは、赤外線をカットする機能を有する
請求項１に記載の撮像装置。
【請求項７】
ＩＲＣＦ（Infra Red Cut Filter）をさらに備える
請求項１に記載の撮像装置。
【請求項８】
複数のレンズを備え、
フォーカス時には、前記複数のレンズのうち、最前面と最終面以外のレンズが移動する
請求項１に記載の撮像装置。
【請求項９】
撮像素子が搭載される基板と、
レンズを固定するフレームと、
前記レンズと
を備え、
前記基板、前記フレーム、前記レンズで、前記撮像素子を封止している
撮像装置と、
前記撮像装置から出力される信号に対して信号処理を行う信号処理部と
を備える電子機器。
【発明の詳細な説明】
【技術分野】
【０００１】
本技術は、撮像装置、電子機器に関する。詳しくは、モジュールの小型化に寄与する撮像装置、電子機器に関する。
【背景技術】
【０００２】
近年、デジタルカメラの小型化や、デジタルカメラの機能を有する携帯電話機が普及するに伴い、オートフォーカス用の駆動装置などの小型化も望まれている。特許文献１には、レンズホルダ、チップ、基板を封止することで、小型化を実現することが提案されている。
【先行技術文献】
【特許文献】
【０００３】
【特許文献１】特表２００７−５２３５６８号公報
【発明の概要】
【発明が解決しようとする課題】
【０００４】
レンズなどの光学系を小型化することで、撮像装置の小型化を実現することは可能であるが、光量が減り、画質が落ちるなど好ましくない状態が発生する可能性が高い。そのため、レンズなどを小型化することで、撮像装置を小型化することは好ましくない。しかしながら、上記したように、撮像装置のさらなる小型化は望まれている。【０００５】
本技術は、このような状況に鑑みてなされたものであり、撮像装置のさらなる小型化を実現することができるようにするものである。
【課題を解決するための手段】
【０００６】
本技術の一側面の撮像装置は、撮像素子が搭載される基板と、レンズを固定するフレームと、前記レンズとを備え、前記基板、前記フレーム、前記レンズで、前記撮像素子を封止している。【０００７】
複数のレンズを備え、前記フレームに固定されているレンズは、前記複数のレンズのうちの前記撮像素子に最も近い位置に位置するレンズであるようにすることができる。【０００８】
複数のレンズと、レンズを保持するレンズバレルをさらに備え、前記複数のレンズのうち、前記撮像素子に近い側に位置するレンズ以外のレンズは、前記レンズバレルに保持されるようにすることができる。【０００９】
前記レンズバレルの径は、前記フレームに固定されているレンズの径よりも小さいようにすることができる。【００１０】
前記撮像素子上に、ＩＲＣＦ（Infra Red Cut Filter）をさらに備えるようにすることができる。【００１１】
前記レンズは、赤外線をカットする機能を有するようにすることができる。【００１２】
ＩＲＣＦ（Infra Red Cut Filter）をさらに備えるようにすることができる。【００１３】
複数のレンズを備え、フォーカス時には、前記複数のレンズのうち、最前面と最終面以外のレンズが移動するようにすることができる。【００１４】
本技術の一側面の電子機器は、撮像素子が搭載される基板と、レンズを固定するフレームと、前記レンズとを備え、前記基板、前記フレーム、前記レンズで、前記撮像素子を封止している撮像装置と、前記撮像装置から出力される信号に対して信号処理を行う信号処理部とを備える。【００１５】
本技術の一側面の撮像装置においては、撮像素子が搭載される基板、レンズを固定するフレーム、およびレンズが備えられ、基板、フレーム、およびレンズで、撮像素子が封止されている。
【発明の効果】
【００１６】
本技術の一側面によれば、撮像装置を小型化することができる。【００１７】
なお、ここに記載された効果は必ずしも限定されるものではなく、本開示中に記載されたいずれかの効果であってもよい。
【図面の簡単な説明】
【００１８】
【図１】カメラモジュールの構成を示す図である。
【図２】小型化されたカメラモジュールの構成を示す図である。
【図３】小型化されていることを説明するための図である。
【図４】小型化されたカメラモジュールの他の構成を示す図である。
【図５】電子機器の構成を示す図である。
【発明を実施するための形態】
【００１９】
以下に、本技術を実施するための形態（以下、実施の形態という）について説明する。
なお、説明は、以下の順序で行う。
１．撮像装置の構成
２．小型化された撮像装置の構成
３．小型化された撮像装置の他の構成
４．電子機器
【００２０】
＜撮像装置の構成＞
本技術は、撮像素子を備え、フォーカス調整を行うカメラモジュールに適用できる。また、本技術を適用したカメラモジュールは、従来のカメラモジュールよりも小型化することができる。従来のカメラモジュールよりも小型化できることを明確に説明するために、まず、従来のカメラモジュール(撮像装置)について説明を加える。
【００２１】
図１は、撮像装置の構成を示す断面図である。図１に示した撮像装置１０は、上部１１と下部１２から構成されている。ここでは、説明の都合上、上部１１と下部１２から撮像装置１０が構成されているとして説明を行う。
【００２２】
上部１１は、アクチュエータ２１、レンズバレル２２、レンズ２３から構成されている。下部１２は、基板３１、撮像素子３２、ＩＲＣＦ（Infra Red Cut Filter）３３、フレーム３４から構成されている。
【００２３】
レンズバレル２２の内側には、レンズ２３−１、レンズ２３−２、レンズ２３−３、およびレンズ２３−４の４枚のレンズが組み込まれ、レンズバレル２２は、それらのレンズ２３−１乃至２３−４を保持する構成とされている。レンズバレル２２は、アクチュエータ２１に内包され、下部１２は、アクチュエータ２１の下部に装着される。
【００２４】
例えば、レンズバレル２２の外側の側面にはネジ２４が備えられ、アクチュエータ２１の内部の一部分には、このネジと螺合する位置にネジ（不図示）が備えられ、レンズバレル２２のネジ２４とアクチュエータ２１内部のネジは、螺合するように構成されている。
【００２５】
レンズバレル２２が図中、上下方向に可動するように構成し、オートフォーカス（ＡＦ：Auto-Focus）が行えように構成した場合、例えば、レンズバレル２２の側面（レンズバレル２２が装着されたレンズキャリ）に、コイルが設けられる。また、このコイルに対向する位置であり、アクチュエータ２１の内側には、マグネットが設けられる。マグネットには、ヨークが備えられ、コイル、マグネット、およびヨークでボイスコイルモータが構成される。
【００２６】
コイルに電流が流されると、図中上下方向に力が発生する。この発生された力で、レンズバレル２２が上方向または下方向に移動する。レンズバレル２２が移動することで、レンズバレル２２が保持しているレンズ２３−１乃至２３−４と、撮像素子３２の距離が変化する。このような仕組みにより、オートフォーカスを実現することができる。
【００２７】
下部１２の中央部には、撮像素子３２が設けられている。撮像素子３２は、基板３１上に装着され、配線(不図示)で基板３１と接続されている。基板３１の撮像素子３２が設けられている面上には、フレーム３４が装着される。このフレーム３４は、ＩＲＣＦ３３を保持する機能を有する。またフレーム３４の基板３１と接している側と反対の側には、上部１１が設けられている。
【００２８】
基板３１、ＩＲＣＦ３３、およびフレーム３４で囲まれる空間３５に、ゴミなどの異物が入り込まないように、基板３１、ＩＲＣＦ３３、およびフレーム３４は、それぞれ隙間などがないように接着されている。空間３５は、基板３１、ＩＲＣＦ３３、およびフレーム３４により、略密閉空間とされている。
【００２９】
このことにより、空間３５には、異物が挿入することがないように構成されている。ＩＲＣＦ３３は、赤外線をカットするフィルタとして機能するとともに、撮像素子３２を空間３５内に封止するためにも用いられている。
【００３０】
＜小型化された撮像装置の構成＞
図２に、図１に示した撮像装置よりも小型化された撮像装置の一実施の形態の構成を示す。図２に示した撮像装置１００は、図１に示した撮像装置１０と、基本的に構成要素は同じであるが、配置が異なる。
【００３１】
図２に示した撮像装置１００は、上部１１１と下部１１２から構成されている。図２においても、説明の都合上、上部１１１と下部１１２から撮像装置１００が構成されているとして説明を行う。
【００３２】
上部１１１には、アクチュエータ１２１、レンズバレル１２２、レンズ１２３−１乃至１２３−３が含まれる。下部１１２には、基板１３１、撮像素子１３２、ＩＲＣＦ１３３、フレーム１３４、およびレンズ１２３−４が含まれる。
【００３３】
レンズバレル１２２の内側には、レンズ１２３−１、レンズ１２３−２、およびレンズ１２３−３の３枚のレンズが組み込まれ、レンズバレル１２２は、それらのレンズ１２３−１乃至１２３−３を保持する構成とされている。レンズバレル１２２は、アクチュエータ１２１に内包され、下部１１２は、アクチュエータ１２１の下部に装着される。
【００３４】
図１に示した撮像装置１０のレンズ２３−４は、上部１１に含まれていたが、図２に示した撮像装置１００のレンズ１２３−４は、下部１１２に含まれる。レンズ２３−４、レンズ１２３−４は、撮像装置１０（１００）に含まれる複数のレンズのうち、撮像素子３２（１３２）に近い側のレンズである。ここでは、このように、撮像素子３２（１３２）に最も近い位置に設置されたレンズを、適宜最終玉と記載する。
【００３５】
図２に示した撮像装置１００では、レンズ群を構成するレンズのうち、最終玉は、レンズバレル１２２に含まれず、フレーム１３４に固定された構成とされている。
【００３６】
撮像装置１００においても、例えば、レンズバレル１２２の外側の側面にはネジ１２４が備えられ、アクチュエータ１２１の内部の一部分には、このネジと螺合する位置にネジ（不図示）が備えられ、レンズバレル１２２のネジ１２４とアクチュエータ２１内部のネジは、螺合するように構成されている。
【００３７】
レンズバレル１２２がアクチュエータ１２１に螺合されるように構成することで、製造時に撮像素子１３２との距離を合わせる（ピントを合わせる）ことができるようになる。なお、このようなレンズバレル１２２のアクチュエータ１２１への装着の仕方は、一例であり、他の仕組みでレンズバレル１２２がアクチュエータ１２１に装着されるようにしても良い。
【００３８】
レンズバレル１２２が図中、上下方向に可動するように構成し、オートフォーカス（ＡＦ：Auto-Focus）が行えように構成した場合、例えば、レンズバレル１２２の側面（レンズバレル１２２が装着されたレンズキャリ）に、コイルが設けられる。また、このコイルに対向する位置であり、アクチュエータ１２１の内側には、マグネットが設けられる。マグネットには、ヨークが備えられ、コイル、マグネット、およびヨークでボイスコイルモータが構成される。
【００３９】
コイルに電流が流されると、図中上下方向に力が発生する。この発生された力で、レンズバレル１２２が上方向または下方向に移動する。レンズバレル１２２が移動することで、レンズバレル１２２が保持しているレンズ１２３−１乃至１２３−３と、撮像素子１３２の距離が変化する。このような仕組みにより、オートフォーカスを実現することができる。
【００４０】
なお、他の仕組みでオートフォーカスが実現されるように構成することも可能であり、その実現の仕方に応じた構成とされる。例えば、形状記憶合金などで形成されたワイヤを用いて、レンズバレル１２２が上下方向に移動されるような仕組みであっても良い。
【００４１】
撮像装置１００においては、レンズバレル１２２には、レンズ１２３−１乃至１２３−３の３枚のレンズが含まれている。図１に示した撮像装置１０においては、レンズバレル２２には、レンズ２３−１乃至２３−４の４枚のレンズが含まれている。撮像装置１０と撮像装置１００を比較すると、レンズバレル２２（１２２）に含まれるレンズの枚数は、撮像装置１０よりも、撮像装置１００の方が１枚少ない枚数となっている。
【００４２】
このため、撮像装置１００のレンズバレル１２２は、撮像装置１０のレンズバレル２２よりも、最終玉のレンズの分だけ、少なくとも軽量となる。また、後述するように、レンズバレル１２２は、レンズバレル２２よりも、小型化することが可能であるため、レンズバレル１２２自体も軽量化することができる。
【００４３】
レンズバレル１２２が軽量となることで、レンズバレル１２２を駆動させるための駆動力を低減させることも可能となる。よって、レンズバレル１２２を駆動するための駆動力を、上記したように、コイルなどを用いて生み出すように構成した場合、コイルに流す電流を低減することが可能となる。すなわち、本技術を適用することで、消費電力を低減させることが可能となる。
【００４４】
図２に示した撮影装置１００の説明に戻り、下部１１２の中央部には、撮像素子１３２が設けられている。撮像素子１３２は、基板１３１上に装着され、配線(不図示)で基板１３１と接続されている。撮像素子１３２のレンズ１２３―４側には、ＩＲＣＦ１３３が設けられている。
【００４５】
基板１３１の撮像素子１３２が設けられている面上には、フレーム１３４が装着される。このフレーム１３４は、レンズ１２３−４を保持する機能を有する。またフレーム１３４の基板１３１と接している側と反対の側には、上部１１１が設けられている。
【００４６】
レンズ１２３−４、基板１３１、およびフレーム１３４で囲まれる空間１３５に、ゴミなどの異物が入り込まないように、レンズ１２３−４、基板１３１、およびフレーム１３４は、それぞれ隙間などがないように接着されている。空間１３５は、レンズ１２３−４、基板１３１、およびフレーム１３４により、略密閉空間とされている。
【００４７】
このことにより、空間１３５には、異物が挿入することがないように構成されている。レンズ１２３−４は、光を集光するレンズとして機能するとともに、撮像素子１３３を空間１３５内に封止するためにも用いられている。
【００４８】
空間１３５は、接着剤などを用いて完全に密閉された密閉空間となるように構成されていても良いし、吸排気経路などがあり、多少の空気の出入りなどができるような状態の空間となっていても良い。
【００４９】
例えば、製造工程において、熱膨張した空気を、空間１３５から逃す必要がある工程が含まれる場合、この空気を逃すための通気孔が設けられ、その通気孔から熱膨張した空気を逃した後、そのまま通気孔を残した構成とすることも可能であるし、通気孔を接着剤などで塞ぐ工程を設け、通気孔を残さない構成とすることも可能である。
【００５０】
通気孔などの吸排気経路が設けられているような場合、例えば、空間１３５内に侵入し、撮像素子１３２に付着し、撮影時に影響を及ぼすような異物が入り込まないサイズに吸排気経路は構成される。このようなサイズに構成されれば、異物が空間１３５に入り込み、悪影響をおよぼすことを防ぐことができるため、密閉された状態と同様の効果を得ることができる。
【００５１】
ここでは、略密閉空間とは、このような、吸排気経路を有する構造と、吸排気経路を有さない構造（吸排気経路を塞ぐ構造）を含むとする。
【００５２】
このように、撮像装置１００においては、レンズ群を構成するレンズのうち、最終玉を、撮像素子１３２側に固定する構造とする。最終玉、図２に示した撮像装置１００では、レンズ１２３−４は、フレーム１３４に固定されるが、レンズ１２３−１乃至１２３−３は、レンズバレル１２２に内包され、撮像素子１３２に対して垂直方向に移動可能に構成されているため、レンズバレル１２２を動かすことで、フォーカス調整を行うことが可能である。
【００５３】
また、レンズ１２３−４を、フレーム１３４に固定することで、上記したように、空間１３５内に異物が入り込むようなことを防ぐことができる構造とすることができる。
【００５４】
さらに図３を参照して説明するように、撮像装置１００は、小型化されている。
【００５５】
図３に、図１に示した撮像装置１０と図２に示した撮像装置１００を上下方向に並べて図示した。撮像装置１０の最終玉であるレンズ２３−４の横方向の長さを幅Ｈ１とし、レンズバレル２２の横方向の長さを幅Ｈ１２とする。撮像装置１００の最終玉であるレンズ１２３−４の横方向の長さを幅Ｈ１とし、レンズ１２３−３の横方向の長さを幅Ｈ１１とし、レンズバレル１２２の横方向の長さを幅Ｈ１２とする。
【００５６】
撮像装置１０の最終玉であるレンズ２３−４と、撮像装置１００の最終玉であるレンズ１２３−４の大きさは、同じ大きさとすることができる。撮影装置１０のレンズ２３−１乃至２３−３と、撮像装置１００のレンズ１２３−１乃至１２３−３も、同じ大きさとすることができる。レンズ２３−１乃至２３−４とレンズ１２３−１乃至１２３−４が同じ大きさであるため、レンズ群等の光学系は、小型化されているわけではないため、撮像装置１０と撮像装置１００に、光学特性などに差が生じることはない。
【００５７】
図３の上側に示した撮像装置１０では、レンズ２３−４がレンズバレル２２に内包されるため、レンズバレル２２は、レンズ２３−４を内包できる大きさで構成される必要がある。レンズ２３−４の大きさが幅Ｈ１である場合、レンズバレル２２は、幅Ｈ１よりも大きい幅Ｈ２とする必要がある。
【００５８】
図３の下側に示した撮像装置１００では、レンズ１２３−３がレンズバレル１２２に内包されるため、レンズバレル１２２は、レンズ１２３−３を内包できる大きさで構成されればよい。レンズ１２３−３の大きさが幅Ｈ１１である場合、レンズバレル１２２は、幅Ｈ１１よりも大きい幅Ｈ１２となる。
【００５９】
一般的に、レンズ群を構成する複数のレンズのうち、最終玉は、他のレンズよりも大きいレンズとされている。よって、レンズ１２３−３は、最終玉であるレンズ１２３−４よりも小さく構成することができる。すなわち、レンズ１２３−３の幅Ｈ１１は、レンズ１２３−４の幅Ｈ１よりも小さくすることができる。よって、レンズ１２３−３を内包するレンズバレル１２２の幅Ｈ１２は、レンズ２３−４を内包するレンズバレル２２の幅Ｈ２よりも小さくすることができる。
【００６０】
このように、本技術を適用した撮像装置１００によれば、レンズバレル１２２の横方向の大きさを小さくすることができる。すなわち、レンズバレル１２２の径は、最終玉であるレンズ１２３−４の径よりも小さくなるため、レンズバレル１２２を小型化することができる。
【００６１】
撮像装置１０のレンズバレル２２の縦方向の長さを高さＶ１とし、撮像装置１００のレンズバレル１２２の縦方向の長さを高さＶ１１とする。
【００６２】
撮像装置１０のレンズバレル２２は、レンズ２３−１乃至２３−４の４枚のレンズを内包するため、４枚のレンズを内包するだけの高さＶ１である必要がある。これに対して、撮像装置１００のレンズバレル１２２は、レンズ１２３−１乃至１２３−３の３枚のレンズを内包するため、３枚のレンズを内包するだけの高さＶ１１であればよい。
【００６３】
よって、撮像装置１００のレンズバレル１２２の高さＶ１１は、撮像装置１０のレンズバレル２２の高さＶ１よりも低くなる。すなわち、本技術を適用した撮像装置１００によれば、レンズバレル２２の縦方向の大きさも小さくすることができる。すなわち、レンズバレル１２２を薄型化できる。
【００６４】
このように、撮像装置１００のレンズバレル１２２は、撮像装置１０のレンズバレル２２よりも小型化することができる。よって、小型化されたレンズバレル１２２を含む撮像装置１００自体も小型化することができる。このことにより、上記したように、省電力化することも可能となる。
【００６５】
＜小型化された撮像装置の他の構成＞
図４は、小型化された撮像装置の他の構成を示す図である。図４に示した撮像装置１５０は、図２に示した撮像装置１００と基本的に同様の構成を有するため、同様の部分には、同様の符号を付し、その説明は適宜省略する。
【００６６】
図４に示した撮像装置１５０は、図２に示した撮像装置１００のＩＲＣＦ１３３を削除した構成とされている。撮像装置１５０においては、レンズ群の最終玉であるレンズ１５１が、ＩＲＣＦ１３３の機能を有する。すなわち、レンズ１５１の撮像素子１３２側の面、またはレンズ１５１のレンズ１２３−３側の面に、赤外線カットフィルタの機能を持たせる。
【００６７】
例えば、レンズ１５１のいずれか１面に、赤外線をカットする膜を形成することで、レンズ１５１にＩＲＣＦ１３３の機能を持たせるように構成しても良い。または、レンズ１５１を構成する材料に、赤外線をカットする材料を用いても良い。
【００６８】
撮像装置１５０も、図２を参照して説明した撮像装置１００が有する効果を有する。すなわち、まず、空間１３５内に、異物が入り込むことを防ぐ構成とすることができる。また、レンズバレル１２２を小型化することができ、撮像装置１５０自体の大きさも小型化することができる。
【００６９】
またレンズ群を構成するレンズの最終玉のレンズ１５１に、赤外線をカットする機能を持たせることで、赤外線カットフィルタ(ＩＲＣＦ)を省略した構成とすることができるため、撮像装置１５０を構成する部品の点数を削減することができる。また、赤外線カットフィルタを省略した分だけ、さらに撮像装置１５０を薄型化することが可能となる。
【００７０】
なお、図４においては、赤外線カットフィルタ(ＩＲＣＦ)の機能を、最終玉であるレンズ１５１に持たせる場合を例にあげて説明したが、レンズ１５１以外のレンズ１２３−１乃至１２３−３のいずれかのレンズに持たせるように構成することも可能である。
【００７１】
また、図２を参照して説明したように、ＩＲＣＦ１３３を、撮像素子１３２上に設けることも可能である。また、ＩＲＣＦ１３３を備える構成とする場合、そのＩＲＣＦ１３３は、撮像素子１３２上に限定されるわけではない。例えば、図示はしないが、撮像素子１３２とレンズ１２３−４(図２)の間に設けられる構成とすることも可能である。
【００７２】
また、レンズ１２３−１乃至レンズ１２３−４のいずれかのレンズの間に設ける構成とすることも可能である。例えば、レンズ１２３−３とレンズ１２３−４の間に、ＩＲＣＦ１３３を設けたり、レンズ１２３−２とレンズ１２３−３の間に、ＩＲＣＦ１３３を設けたりする構成とすることも可能である。
【００７３】
赤外線カット機能として、波長域７００ｎｍ乃至１０００ｎｍにおいて、カット率が光学系のトータルで、９９％以上となれば、ＩＲＣＦ１３３は、撮像装置１００内のどのような位置に設けても良いし、また撮像装置１５０のようにレンズにＩＲＣＦの機能を持たせても良い。
【００７４】
また図２に示した撮像装置１００、図３に示した撮像装置１５０においては、レンズ１２３−４を下部１１２に含める構成としたが、他のレンズ、例えば、レンズ１２３−３も、下部１１２に含められ、固定される構成としても良い。
【００７５】
また図２に示した撮像装置１００、図３に示した撮像装置１５０においては、レンズ群を構成するレンズのうち、最終玉であるレンズ１２３−４を固定し、レンズ１２３−１乃至１２３−３を上下方向に可動できるように構成し、レンズ１２３−１乃至１２３−３を動かすことで、フォーカスが実行される場合を例にあげて説明した。
【００７６】
レンズ１２３−１も固定し、俗にインナーフォーカスなどと称される構造に対して本技術を適用することも可能である。すなわち、レンズ１２３−１とレンズ１２３−４を固定し、レンズ１２３−２とレンズ１２３−３が可動するように構成し、レンズ１２３−２とレンズ１２３−３を可動させることで、フォーカスが実行されるように構成することも可能である。
【００７７】
すなわち、本技術は、レンズ群を構成する複数のレンズのうち、最前面と最終面に位置するレンズを固定し、フォーカス時には、最前面と最終面に位置するレンズ以外を移動するような構成に対しても本技術を適用することができる。
【００７８】
また、ＭＴＦ（Modulation Transfer Function）等の光学性能を確認しながら複数枚で構成されたレンズ群と、最終玉を別体として調芯できる構造をレンズバレルに構成した撮像装置にも本技術を適用することはできる。
【００７９】
また図２に示した撮像装置１００、図３に示した撮像装置１５０に示したように、撮像素子１３３側に近いレンズ１２３−４(最終面のレンズ)を、曲面形状を有する形状とすることで、撮像素子１３３に入射する迷光成分を、撮像素子１３３の外へ反射させることができる形状にすることができる。これにより、ゴーストやフレアを低減させ、画質を向上させることが可能となる。
【００８０】
＜電子機器＞
本技術は、撮像装置への適用に限られるものではなく、デジタルスチルカメラやビデオカメラ等の撮像装置や、携帯電話機などの撮像機能を有する携帯端末装置や、画像読取部に撮像装置を用いる複写機など、画像取込部（光電変換部）に撮像装置を用いる電子機器全般に対して適用可能である。なお、電子機器に搭載されるモジュール状の形態、即ちカメラモジュールを撮像装置とする場合もある。
【００８１】
図５は、本開示の電子機器の一例である撮像装置の構成例を示すブロック図である。図５に示すように、本開示の撮像装置３００は、レンズ群３０１等を含む光学系、撮像素子３０２、カメラ信号処理部であるＤＳＰ回路３０３、フレームメモリ３０４、表示装置３０５、記録装置３０６、操作系３０７、及び、電源系３０８等を有している。
【００８２】
そして、ＤＳＰ回路３０３、フレームメモリ３０４、表示装置３０５、記録装置３０６、操作系３０７、及び、電源系３０８がバスライン３０９を介して相互に接続された構成となっている。ＣＰＵ３１０は、撮像装置３００内の各部を制御する。
【００８３】
レンズ群３０１は、被写体からの入射光（像光）を取り込んで撮像素子３０２の撮像面上に結像する。撮像素子３０２は、レンズ群３０１によって撮像面上に結像された入射光の光量を画素単位で電気信号に変換して画素信号として出力する。この撮像素子３０２として、先述した実施形態に係る固体撮像素子を用いることができる。
【００８４】
表示装置３０５は、液晶表示装置や有機ＥＬ(electro luminescence)表示装置等のパネル型表示装置からなり、撮像素子３０２で撮像された動画または静止画を表示する。記録装置３０６は、撮像素子３０２で撮像された動画または静止画を、ビデオテープやＤＶＤ(Digital Versatile Disk)等の記録媒体に記録する。
【００８５】
操作系３０７は、ユーザによる操作の下に、本撮像装置が持つ様々な機能について操作指令を発する。電源系３０８は、ＤＳＰ回路３０３、フレームメモリ３０４、表示装置３０５、記録装置３０６、及び、操作系３０７の動作電源となる各種の電源を、これら供給対象に対して適宜供給する。
【００８６】
このような撮像装置３００は、ビデオカメラやデジタルスチルカメラ、さらには、携帯電話機等のモバイル機器向けカメラモジュールに適用される。そして、この撮像装置３００において、レンズ群３０１と撮像素子３０２として先述した実施形態に係る撮像装置１００（１５０）を用いることができる。
【００８７】
なお、本明細書に記載された効果はあくまで例示であって限定されるものでは無く、また他の効果があってもよい。
【００８８】
なお、本技術の実施の形態は、上述した実施の形態に限定されるものではなく、本技術の要旨を逸脱しない範囲において種々の変更が可能である。
【００８９】
なお、本技術は以下のような構成も取ることができる。
【００９０】
（１）
撮像素子が搭載される基板と、
レンズを固定するフレームと、
前記レンズと
を備え、
前記基板、前記フレーム、前記レンズで、前記撮像素子を封止している
撮像装置。
（２）
複数のレンズを備え、前記フレームに固定されているレンズは、前記複数のレンズのうちの前記撮像素子に最も近い位置に位置するレンズである
前記（１)に記載の撮像装置。
（３）
複数のレンズと、
レンズを保持するレンズバレルをさらに備え、
前記複数のレンズのうち、前記撮像素子に近い側に位置するレンズ以外のレンズは、前記レンズバレルに保持される
前記（１)に記載の撮像装置。
（４）
前記レンズバレルの径は、前記フレームに固定されているレンズの径よりも小さい
前記（３)に記載の撮像装置。
（５）
前記撮像素子上に、ＩＲＣＦ（Infra Red Cut Filter）をさらに備える
前記（１)乃至（４）のいずれかに記載の撮像装置。
（６）
前記レンズは、赤外線をカットする機能を有する
前記（１)乃至（４）のいずれかに記載の撮像装置。
（７）
ＩＲＣＦ（Infra Red Cut Filter）をさらに備える
前記（１)乃至（４）のいずれかに記載の撮像装置。
（８）
複数のレンズを備え、
フォーカス時には、前記複数のレンズのうち、最前面と最終面以外のレンズが移動する
前記（１)乃至（７）のいずれかに記載の撮像装置。
（９）
撮像素子が搭載される基板と、
レンズを固定するフレームと、
前記レンズと
を備え、
前記基板、前記フレーム、前記レンズで、前記撮像素子を封止している
撮像装置と、
前記撮像装置から出力される信号に対して信号処理を行う信号処理部と
を備える電子機器。
【符号の説明】
【００９１】
１００  撮像装置，  １２１  アクチュエータ，  １２２  レンズバレル，  １２３  レンズ，  １３１  基板，  １３２  撮像素子，  １３３  ＩＲＣＦ，  １３４  フレーム，  １５０  撮像装置，  １５１  レンズ
【図１】
2015198909.tif 000003
【図２】
2015198909.tif 000004
【図３】
2015198909.tif 000005
【図４】
2015198909.tif 000006
【図５】
2015198909.tif 000007
【国際調査報告】
2015198909.tif 000008
2015198909.tif 000009
2015198909.tif 000010
2015198909.tif 000011